(57)【要約】【課題】軒天板の軒元支持側から軒先支持側間の方向における軒天板のガタツキを防止できる軒天構造及び軒先側支持部材を提供する。【解決手段】軒天構造は、軒天板１７の軒先側を支持する軒先側支持部材３と、前記軒天板１７の軒元側を支持する軒元側支持部材２と、前記軒先側支持部材３に設けられており、前記軒天板１７を軒元側に押圧する押圧手段とを備えている。前記押圧手段は、前記軒先側支持部材３に形成された縦板部３３と、前記縦板部３３に形成された横向きの雌螺子部３ｂと、前記雌螺子部３ｂに螺合される螺子６とからなる。【選択図】図１
2019108783.tif 000002
【特許請求の範囲】
【請求項１】
軒天板の軒先側を支持する軒先側支持部材と、前記軒天板の軒元側を支持する軒元側支持部材と、前記軒先側支持部材に設けられており、前記軒天板を軒元側に押圧する押圧手段とを備えていることを特徴とする軒天構造。
【請求項２】
請求項１に記載の軒天構造において、前記押圧手段は、前記軒先側支持部材に形成された縦板部と、前記縦板部に形成された横向きの雌螺子部と、前記雌螺子部に螺合される螺子とからなることを特徴とする軒天構造。
【請求項３】
請求項１または請求項２に記載の軒天構造において、前記軒先側支持部材は、前記軒天板の軒先側の上側に位置する上側部と、前記軒天板の軒先側の下側に位置する下側部と、前記下側部に形成されており、前記軒天板を前記上側部の方向に付勢する付勢部と、を備えることを特徴とする軒天構造。
【請求項４】
請求項１または請求項２に記載の軒天構造において、前記軒先側支持部材は、前記軒天板の軒先側の上側に位置する上側部と、前記軒天板の軒先側の下側に位置する下側部と、前記上側部に形成されており、前記軒天板を前記下側部の方向に付勢する付勢部と、を備えることを特徴とする軒天構造。
【請求項５】
請求項１〜請求項４のいずれか１項に記載の軒天構造において、前記軒元側支持部材は、前記軒天板の軒元側の上側に位置する上側部と、前記軒天板の軒元側の下側に位置する下側部と、前記下側部に形成されており、前記軒天板を前記上側部の方向に付勢する付勢部と、を備えることを特徴とする軒天構造。
【請求項６】
請求項１〜請求項４のいずれか１項に記載の軒天構造において、前記軒元側支持部材は、前記軒天板の軒元側の上側に位置する上側部と、前記軒天板の軒元側の下側に位置する下側部と、前記上側部に形成されており、前記軒天板を前記下側部の方向に付勢する付勢部と、を備えることを特徴とする軒天構造。
【請求項７】
請求項１〜請求項６のいずれか１項に記載の軒天構造において、前記軒先側支持部材は桁行方向に間隔をおいて複数配置されており、これら軒先側支持部材及び前記押圧手段が見切によって覆われており、前記見切に設けた通気孔形成部の通気孔を通して軒天裏と屋外とが連通することを特徴とする軒天構造。
【請求項８】
請求項７に記載の軒天構造において、前記見切には、前記通気孔を通して浸入した水を下方に落とす水返しが形成されていることを特徴とする軒天構造。
【請求項９】
請求項７または請求項８に記載の軒天構造において、前記見切の内側には、火災時の熱で膨張する熱膨張防火材が、膨張時に前記通気孔を遮蔽するように配置されていることを特徴とする軒天構造。
【請求項１０】
請求項１〜請求項９のいずれか１項に記載の軒天構造において、前記軒先側支持部材は、軒先側の建物下地の下面に固定されるとともに、前記軒先側の建物下地の屋内側面に固定された補強部材の下面にも固定されていることを特徴とする軒天構造。
【請求項１１】
軒天板の軒先側を支持する軒先側支持部材であって、前記軒天板を軒元側に押圧する押圧手段を備えることを特徴とする軒先側支持部材。
【請求項１２】
請求項１１に記載の軒天構造において、前記押圧手段は、前記軒先側支持部材に形成された縦板部と、前記縦板部に形成された横向きの雌螺子部と、前記雌螺子部に螺合される螺子とからなることを特徴とする軒先側支持部材。
【発明の詳細な説明】
【技術分野】
【０００１】
この発明は、建物の軒天構造及びこの構造における軒天板の軒先側を支持する軒先側支持部材に関する。
【背景技術】
【０００２】
軒天井板の施工においては、軒天板の表面から釘・螺子によって軒天板を建物側に固定するのが一般的である。その場合、釘・螺子部の補修が必要となり、その箇所が目立つという不具合がある。また、一部に固定金物を使用したとしても軒天板の下面から釘・螺子を一切使用しないというのは困難である。
【０００３】
特許文献１には、軒天板の支持金物として、軒天板の上面と接触する上面接触部を有する上部支持片と、該軒天板の下面と接触する下面接触部を有する下部支持片とからなり、上部支持片と下部支持片との互いの対向部位にそれぞれ貫通すると共に、該上面接触部及び下面接触部を建物の外壁側に離隔または接近させる方向に沿って形成され、且つ鼻隠し材に固定するための固定具を挿通する切り欠き溝を有し、上面接触部と下面接触部との離間間隔が初期状態では軒天板の厚さよりも大きく設定され、固定具を切り欠き溝に挿入して鼻隠し材に締結するのに伴って上面接触部と下面接触部とが互いに接近し得るように構成をしたものが開示されている。
【先行技術文献】
【特許文献】
【０００４】
【特許文献１】特開２０１２−７２９２号（特許第５７７７８６４号）
【発明の概要】
【発明が解決しようとする課題】
【０００５】
しかしながら、前記支持金物では、軒天板の軒元支持側から軒先支持側間の方向（軒の突出方向、梁間方向）における軒天板のガタツキを防止できない。つまり、ガタツキがあると、防火、防水、耐風圧の面で好ましくない。
【０００６】
そこで、この発明は、軒天板の軒元支持側から軒先支持側間の方向における軒天板のガタツキを防止できる軒天構造及び軒先側支持部材を提供することを課題とするものである。
【課題を解決するための手段】
【０００７】
前記の課題を解決するこの発明の軒天構造は、軒天板の軒先側を支持する軒先側支持部材と、前記軒天板の軒元側を支持する軒元側支持部材と、前記軒先側支持部材に設けられており、前記軒天板を軒元側に押圧する押圧手段とを備えていることを特徴とする。
【０００８】
この構成であれば、押圧手段によって軒天板が軒元側に押圧されるので、軒天板の軒元支持側から軒先支持側間の方向における支持隙間の発生を防止して当該方向における軒天板のガタツキを防止できるようになる。
【０００９】
前記押圧手段は、前記軒先側支持部材に形成された縦板部と、前記縦板部に形成された横向きの雌螺子部と、前記雌螺子部に螺合される螺子とからなっていてもよい。この構成であれば、螺子を回すという簡単な作業で軒天板を軒元側に押圧することができる。
【００１０】
前記軒先側支持部材は、前記軒天板の軒先側の上側に位置する上側部と、前記軒天板の軒先側の下側に位置する下側部と、前記上側部に形成されており、前記軒天板を前記下側部の方向に付勢する付勢部と、を備えてもよい。この構成であれば、軒天板の軒先側における軒天板の厚み方向の支持隙間の発生も防止できるようになり、軒天板の軒先側での前記厚み方向のガタツキも防止でき、さらに、軒天板の厚みにバラツキがあったり、軒天板の厚みが経年変化により痩せが生じたりしても、軒天板を下方から見上げた際に、隣合う軒天板に段差が生じず、見栄えを良くすることができる。
【００１１】
前記軒元側支持部材は、前記軒天板の軒元側の上側に位置する上側部と、前記軒天板の軒元側の下側に位置する下側部と、前記上側部に形成されており、前記軒天板を前記下側部の方向に付勢する付勢部と、を備えてもよい。この構成であれば、軒天板の軒元側での厚み方向のガタツキも防止でき、さらに、軒天板の厚みにバラツキがあったり、軒天板の厚みが経年変化により痩せが生じたりしても、軒天板を下方から見上げた際に、隣合う軒天板に段差が生じず、見栄えを良くすることができる。
【００１２】
前記軒先側支持部材は桁行方向に間隔をおいて複数配置されており、これら軒先側支持部材及び前記押圧手段が見切によって覆われており、前記見切に設けた通気孔形成部の通気孔を通して軒天裏と屋外とが連通してもよい。この構成であれば、軒天裏の換気が行えるようになる。
【００１３】
前記見切には、前記通気孔を通して浸入した水を下方に落とす水返しが形成されていてもよい。この構成であれば、軒天裏への雨水の浸入を抑制できる。
【００１４】
前記見切の内側には、火災時の熱で膨張する熱膨張防火材が、膨張時に前記通気孔を遮蔽するように配置されていてもよい。この構成であれば、火災時において炎が前記通気孔から軒天裏に入り込むのを抑制できる。
【００１５】
前記軒先側支持部材は、軒先側の建物下地の下面に固定されるとともに、前記軒先側の建物下地の屋内側面に固定された補強部材の下面にも固定されていてもよい。これによれば、前記軒先側支持部材の固定強度を高めることができる。
【００１６】
また、この発明の軒先側支持部材は、軒天板の軒先側を支持する軒先側支持部材であって、前記軒天板を軒元側に押圧する押圧手段を備えることを特徴とする。この構成であれば、押圧手段によって軒天板を軒元側に押圧できるので、軒天板の軒元支持側から軒先支持側間の方向における支持隙間の発生を防止することができる。
【００１７】
また、前記押圧手段は、前記軒先側支持部材に形成された縦板部と、前記縦板部に形成された横向きの雌螺子部と、前記雌螺子部に螺合される螺子とからなっていてもよい。
【発明の効果】
【００１８】
以上のように、この発明であれば、軒天板の軒元支持側から軒先支持側間の方向（軒の突出方向、梁間方向）における支持隙間の発生を防止して当該方向における軒天板のガタツキを防止できるという効果を奏する。
【図面の簡単な説明】
【００１９】
【図１】本発明の実施形態にかかる軒天構造の側面視による説明図である。
【図２】図１の軒天構造で用いられている軒元側見切の斜視図である。
【図３】（ａ）は図１の軒天構造で用いられている軒元側支持部材の平面図、（ｂ）は側面図、（ｃ）は正面図である。
【図４】図１の軒天構造で用いられている軒元側支持部材の斜視図である。
【図５】図１の軒天構造で用いられている軒先側支持部材及び釘を示した斜視図である。
【図６】図５のＡ−Ａ矢視断面図である。
【図７】図４の軒先側支持部材の他の例を示した斜視図である。
【図８】（ａ）は図１の軒天構造で用いられている軒先側見切の斜視図、（ｂ）は軒先側見切の通気孔を示す正面図である。
【図９】図１の軒天構造で用いることができる軒先側見切の斜視図である。
【図１０】図１の軒天構造で用いることができる軒先側見切の変形例の斜視図である。
【図１１】本発明の他の実施形態にかかる軒先側支持部材を示した斜視図である。
【図１２】同図（ａ）は図１１の軒先側支持部材の平面図であり、同図（ｂ）は同図（ａ）のＢ−Ｂ矢視断面図である。
【図１３】本発明の他の実施形態にかかる軒天構造の軒先側の側面視を示した説明図である。
【図１４】図１３の軒天構造で用いられている軒先側支持部材を示した立体図である。
【図１５】図１３の軒天構造の施工手順を示した説明図である。
【図１６】本発明の他の実施形態にかかる軒天構造の軒先側の側面視を示した説明図である。
【図１７】図１６の軒天構造で用いられている軒先側支持部材を示した斜視図である。
【図１８】本発明の他の実施形態にかかる軒天板を斜めに配置した軒天構造の軒元側の側面視を示した説明図である。
【図１９】（ａ）は図１８の軒元側支持部材の平面図、（ｂ）は側面図、（ｃ）は正面図である。
【図２０】図１９の軒元側支持部材の斜視図である。
【図２１】軒元側支持部材の他の変形例を用いた軒天構造の側面図である。
【図２２】（ａ）は図２１の軒元側支持部材の側面図、（ｂ）は斜視図、（ｃ）は軒元側支持部材に用いられているバネ鋼製の付勢部の斜視図である。
【図２３】軒元側支持部材の他の変形例を用いた軒天構造の側面図である。
【図２４】（ａ）は図２３の軒元側支持部材の側面図、（ｂ）は斜視図、（ｃ）は軒元側支持部材に用いられているバネ鋼製の付勢部の斜視図である。
【発明を実施するための形態】
【００２０】
以下、この発明の実施形態を添付図面に基づき具体的に説明する。図１に示すように、この実施形態の軒天構造においては、軒元側見切１及び軒元側支持部材（金物）２が、軒元側軒天野縁５の下面から上向きに打ち込まれた釘（螺子釘でもよい）４によって、当該軒元側軒天野縁５に固定されている。前記軒元側軒天野縁５は、水平に打ち込まれた図示しない釘によって、外壁材及び外壁下地に固定されている。
【００２１】
前記軒元側見切１は、桁行方向に長い長尺部材（例えば３０００ｍｍ程度）とされるのに対し、前記軒元側支持部材２は桁行方向に間隔（例えば４５５ｍｍ間隔）を置いて配置される短尺部材とされる。前記釘４は、前記軒元側支持部材２及び前記軒元側見切１の上側部を貫通して前記軒元側軒天野縁５の下面に打ち込まれている。前記軒元側支持部材２は前記軒元側見切１ごと前記軒元側軒天野縁５に釘固定されている。
【００２２】
前記軒元側見切１は、図２に示すように、上側部１ａと、下側部１ｂと、これらを繋ぐ立上部１ｃとを備えて断面略コ字形状を有している。また、図３（ａ）、（ｂ）、（ｃ）及び図４に示すように、前記軒元側支持部材２も同様に、上側部２１と、下側部２２と、これらを繋ぐ立上部２３とを備えて断面略コ字形状を有している。
【００２３】
前記軒元側見切１は、前記軒元側支持部材２の外面を覆うことができるように、当該軒元側支持部材２よりも一回り大きくされている。この軒元側見切１の上側部１ａは、前記軒元側軒天野縁５の下面に当接しており、前記立上部１ｃは外壁材あるいは外壁下地の表面に当接している。
【００２４】
また、前記軒元側支持部材２の上側部２１は、例えば水平配置される軒天板１７の軒元側の上側に位置しており、下側部２２は前記軒天板１７の軒元側の下側に位置しており、立上部２３には前記軒天板１７の屋内側の端面が突き当てられる。
【００２５】
そして、前記軒元側見切１の上側部１ａの屋外側端は、下側に折り返されており、この折り返された部分は、前記軒元側支持部材２の上側部２１の屋外側端に係止される。同様に、前記軒元側見切１の下側部１ｂの屋外側端は、上側に折り返されており、この折り返された部分は、前記軒元側支持部材２の下側部２２の屋外側端に係止される。
【００２６】
また、前記軒元側支持部材２における下側部２２の屋外側端の両縁部には、一部が切り込まれて略中央部が上側に突出するように屈曲された山形形状のバネ性を有する付勢部２ａが形成されている。前記付勢部２ａの先端裾側は、下側部２２と略面一の高さにあり、差し込まれる前記軒天板１７の下面によって当該付勢部２ａが徐々に下方に押されていくことになる。そして、この付勢部２ａは、前記軒天板１７の下面に押されて下方に撓むとともに、当該軒天板１７を前記上側部２１の方向（軒天板１７の厚み方向）に押し上げる。
【００２７】
一方、軒先側では、軒先側支持部材（金物）３が、軒先側の建物下地である鼻隠し下地１２の下面側から上向きに打ち込まれた釘（螺子釘でもよい）１８によって、前記鼻隠し下地１２に固定されている。また、前記軒先側支持部材３を覆い隠すように軒先側見切１４が取り付けられる。
【００２８】
前記軒先側見切１４は、図８（ａ）に示すように、上側部１４ａと、下側部１４ｂと、これらを繋ぐ斜め立上部１４ｃとを備えた断面略Ｚ字形状をなしている。前記軒先側見切１４の上側部１４ａの屋外側端は、上側に折り返されている。同様に、前記軒先側見切１４の下側部１４ｂの屋内側端も、上側に折り返されており、この折り返された部分を、前記軒先側支持部材３の下部側を越えたところに位置させている。
【００２９】
また、前記軒先側見切１４は、桁行方向に長い長尺部材（例えば３０００ｍｍ程度）とされるのに対して、前記軒先側支持部材３は、桁行方向に間隔（例えば４５５ｍｍ間隔）を置いて配置される短尺部材とされる。そして、前記軒先側見切１４は、前記鼻隠し下地１２の下面側から上向きに打ち込まれた釘（螺子釘でもよい）１９によって、前記鼻隠し下地１２の下面に固定されている。前記鼻隠し下地１２の屋外側には軒先側の建物部材である鼻隠し１１が取り付けられる。前記鼻隠し１１は、その下端部が前記軒先側見切１４の下端よりも下方に突出するように設けられている。
【００３０】
前記軒先側支持部材３は、図５及び図６にも示すように、上側部３１と、下側部３２と、これらを繋ぐ縦板部３３とを備えている。上側部３１は、鼻隠し下地１２への取り付け部を成すとともに、前記軒天板１７の軒先側の上側に位置する部位にもなる。また、前記取り付け部には、前記釘１８を通す挿通孔３ａが形成されている。
【００３１】
また、前記軒先側支持部材３の前記縦板部３３は、例えば、上側部３１の一部を切り込んで縦方向（軒天板１７の端面と平行となる方向）に折り曲げて成るものであり、また、前記下側部３２は、例えば、前記縦板部３３の端側が横方向に折り曲げられて、前記軒天板１７の軒先側の下側に位置している。また、前記縦板部３３の略中央位置には、バーリング加工等によって屋外方向に突出する円筒状部が形成されており、この円筒状部内に横方向の雌螺子部３ｂが形成されている。そして、前記雌螺子部３ｂには、屋外側から螺子６が螺合されており、この螺子６をドライバーや六角レンチ等によって回すことで、前記軒天板１７を軒元側に押し込むことができる。
【００３２】
なお、雌螺子部３ｂは前記のものに限らず、図７に示すように、屋内方向に突出する円筒状部をバーリング加工等によって形成し、この円筒状部内に横方向の雌螺子部３ｂを形成する形態としてもよいものである。この形態の場合、螺子６を雌螺子部３ｂに入れやすくなるという利点がある。また、図示はしないが、前記螺子６の先端と前記軒天板１７の端面との間に板部材を介在させるようにしてもよい。
【００３３】
前記軒天構造を施工する手順としては、例えば、前記軒元側支持部材２を前記軒元側見切１に装着した状態で、前記軒元側支持部材２を、所定ピッチとなる位置において釘４によって前記軒元側軒天野縁５に固定する（軒先側見切１４を先付けした後で、軒元側支持部材２を固定する場合もある。）。そして、前記軒天板１７の軒元側を前記軒元側支持部材２に差し込み、また、前記軒天板１７の軒先側に前記軒先側支持部材３を仮装着した状態で、この軒先側支持部材３を、前記釘１８によって前記鼻隠し下地１２の下面に固定する。なお、前記の仮装着の状態では、前記螺子６を緩める方向に回しておく。そして、前記螺子６を締める方向に回すことにより、当該螺子６を軒元側に進行させて前記軒天板１７を軒元側方向に押し付ける。その後に、前記軒先側見切１４及び前記鼻隠し１１を取り付ける。もちろん、施工手順はこのような順序に限らない。
【００３４】
また、図１の他、図８（ａ）、（ｂ）にも示すように、前記軒先側見切１４、１４Ａの斜め立上部１４ｃは、例えば、複数のスリット状の通気孔１４ｄが形成された通気孔形成部を構成するようにしてもよい。前記通気孔１４ｄを通して、軒天裏と屋外とが連通することになる。また、前記通気孔形成部は、前記鼻隠し下地１２に対向して位置するとともに、下側ほど前記鼻隠し１１に近づくように傾斜しており、軒下側から雨水が前記通気孔１４ｄに入り難くなっている。さらに、前記軒先側見切１４の内側には、火災時の熱で膨張する熱膨張防火材７が、膨張時に前記通気孔１４ｄを遮蔽するように配置されている。例えば、前記熱膨張防火材７は、テープ状に形成されており、前記軒先側見切１４の下側部の内面上で且つ前記通気孔１４ｄの下方側となる位置において桁行方向に貼られている。
【００３５】
なお、図９に示すように、軒先側見切１４Ａを用いることができる。この軒先側見切１４Ａは、上側部１４ａを上側から屋内側方向へと折り返すとともに、この折り返し部の端部を、前記通気孔１４ｄからの気流の通過箇所に至らせている。すなわち、前記折り返し部の端部が水返し１４ｅとして機能し、軒天裏への雨水の浸入を抑制できるようになっている。
【００３６】
また、図１０に示すように、前記の軒先側見切１４、１４Ａよりも軒天裏と屋外との通気を向上させた軒先側見切１４Ｂを使用することもできる。この軒先側見切１４Ｂは、斜め立上部１４ｃの通気孔形成部に設けた通気孔１４ｄ以外に、下側部１４ｂの屋内側端の上側折返し部分に、通気孔１４ｆを設けている。
【００３７】
このような構成の軒天構造であれば、前記螺子６によって軒天板１７が軒元側に押圧されるので、軒天板１７の軒元支持側から軒先支持側間の方向（軒の突出方向、梁間方向）における支持隙間の発生を防止して当該方向における軒天板１７のガタツキを防止できるようになる。また、押圧手段として前記螺子６を備えると、前記螺子６を回すという簡単な作業で軒天板１７を軒元側に押さえつけることができる。
【００３８】
また、前記軒先側支持部材３及び前記螺子６を前記軒先側見切１４（１４Ａ、１４Ｂ）によって覆う一方、前記軒先側見切１４に設けた通気孔形成部の通気孔１４ｄ（１４ｆ）を通して軒天裏と屋外とを連通させることで、軒天裏の換気が行えるようになる。
【００３９】
また、前記軒先側見切１４の内側に熱膨張防火材７が配置されていると、火災時において炎が前記通気孔１４ｄ（１４ｆ）から軒天裏に入り込むのを抑制できる。
【００４０】
また、前記軒元側支持部材２が、前記軒天板１７を前記上側部２１の方向に付勢するバネ性を有する付勢部２ａを備えていると、軒天板１７の軒元側における軒天板１７の厚み方向の支持隙間の発生も防止できるようになり、軒天板１７の軒元側での前記厚み方向のガタツキも防止できる。
【００４１】
図１１及び図１２（ａ）、（ｂ）に示すように、前記軒先側支持部材３についても、その下側部３２の屋外側端の両縁部に、一部が切り込まれて略中央部が上側に突出するように屈曲された山形形状のバネ性を有する付勢部３ｃが形成されていてもよい。前記付勢部３ｃの先端裾側は、下側部３２と略面一の高さにあり、差し込まれる前記軒天板１７の下面によって当該付勢部３ｃが徐々に下方に押されていくことになる。この付勢部３ｃは、バネ性を備えており、前記軒天板１７の下面に押されて下方に撓むとともに、当該軒天板１７を前記上側部３１の方向（軒天板１７の厚み方向）に押し上げる。これによれば、軒天板１７の軒先側における軒天板１７の厚み方向の支持隙間の発生も防止できるようになり、軒天板１７の軒先側での前記厚み方向のガタツキも防止できる。
【００４２】
また、図１３に示す形態の軒天構造とすることもできる。この軒天構造では、軒先側支持部材３Ａを用いている。この軒先側支持部材３Ａは、前記鼻隠し下地１２の下面に釘１８によって固定されるとともに、前記鼻隠し下地１２の屋内側（裏側）の縦面に固定された補強部材８１の下面側にも固定されている。前記補強部材８１は、例えば、縦板部と横板部とを有した短尺のＬアングルからなり、前記横板部の下面が前記鼻隠し下地１２の下面と面一となるようにして、前記縦板部に横方向に打ち込まれた釘（螺子釘でもよい）８２によって、前記鼻隠し下地１２に固定される。ここに、前記補強部材８１に加わる下方への荷重については、前記釘８２が、その引き抜き方向ではなく、せん断方向に受けることになる。
【００４３】
前記軒先側支持部材３Ａの上側部３１には、図１４に示しているように、上向きに貫通する挿通孔３ｄが形成されている。そして、前記補強部材８１の横板部には、螺子孔が形成されており、前記挿通孔３ｄに下から入れた螺子８３を前記螺子孔にねじ込むことで、前記軒先側支持部材３Ａを前記補強部材８１に固定することができる。なお、前記軒先側支持部材３Ａにおける上側部３１の前記軒天板１７の上側で対向する部分の突出長さ及び下側部３２の突出長さを、前記軒先側支持部材３に比べて長くしている。また、前記軒先側支持部材３Ａ及び前記補強部材８１に、これらの位置決めのための凹凸を設けておくと、前記螺子８３の装着作業が容易になる。
【００４４】
前記の図１３に示した形態の軒天構造であれば、前記補強部材８１を備えたことで、前記軒先側支持部材３Ａの軒先側での固定強度を高めることができる。
【００４５】
また、前記軒天構造を施工する手順としては、例えば、図１５に示すように、前記軒天板１７の軒先側に前記軒先側支持部材３Ａを仮装着した状態で、この軒先側支持部材３Ａを、前記螺子８３によって前記補強部材８１に固定する。さらに、前記釘１８によって前記軒先側支持部材３Ａを前記鼻隠し下地１２の下面に固定する。そして、前記螺子６を締める方向に回すことにより、当該螺子６を軒元側に進行させて前記軒天板１７を軒元側方向に押し付けることができる。その後に、前記軒先側見切１４及び前記鼻隠し１１を取り付ける。もちろん、施工手順はこのような順序に限らない。
【００４６】
また、図１６に示す形態の軒天構造は、図１３に示す形態の軒天構造における軒先側支持部材３Ａに替えて、図１７に示す軒先側支持部材３Ｂを用いている。
軒先側支持部材３Ｂは、上側部３１の一部を切り込んで縦方向（軒天板１７の端面と平行となる方向）に折り曲げて縦板部３３が形成され、この縦板部３３の端側が横方向に折り曲げられて軒天板１７の軒先側の下側に位置する下側部３２が形成されている。そして、上側部３１の切り込みの両側に、軒天板１７の軒先側の上側に位置する先端上側部３１１が形成され、軒天板１７を下側部３２に押し付けるバネ鋼製の付勢部３１２を設けている。バネ鋼製の付勢部３１２の軒先側の端部は、バーリングカシメ等によって先端上側部３１１の下面に接合されている。このバネ鋼製の付勢部３１２が、軒天板１７を下側部３２に押し付けることにより、軒天板１７の厚みにバラツキがあったり、軒天板１７の厚みが経年変化により痩せが生じたりしても、隣合う軒天板１７の下面が揃うため、軒天板１７を下方から見上げた際に、段差が生じず、見栄えがよい。
【００４７】
また、図１８に示すように、前記軒天板１７を軒先側が低くなる傾斜配置で設けることもできる。この傾斜配置の構成で用いられる軒元側支持部材２Ａは、図１９（ａ）、（ｂ）、（ｃ）及び図２０にも示すように、上側部２１の端部が上側に折り曲げられた取り付け部２４を有している。そして、この取り付け部２４に釘４が挿通され、この釘４が斜め上方向に軒元側軒天野縁５に打ち込まれることで、当該軒元側支持部材２Ａが軒元側軒天野縁５に固定されている。また、この傾斜配置の構成で用いられる軒元側見切１Ａも、上側部の端部が上側に折り曲げられて前記取り付け部２４に沿うようになっており、この曲げ部分に釘４が打ち込まれる。なお、軒先側においては、例えば、前記補強部材８１の横板部を、前記軒天板１７の傾斜角度に合わせて、屋内側ほど昇り傾斜するように形成してもよい。この形態において、軒元側支持部材２Ａを軒元側見切１Ａ（先付け）の後で固定する場合もある。
【００４８】
次に、図２１及び図２２（ａ）、（ｂ）、（ｃ）に示すように、前記軒元側支持部材２に替えて、軒元側支持部材２Ｂを用いることができる。この軒元側支持部材２Ｂは、上側部２１と、下側部２２と、これらを繋ぐ立上部２３とを備える断面略コ字形状の軒元側支持部材本体２１０と、この軒元側支持部材本体２１０の上側部２１の下面に取り付けられた、軒天板１７を下側部２２に押し付けるバネ鋼製の付勢部２２０とからなる。このバネ鋼製の付勢部２２０は、軒天板１７を軒元側支持部材本体２１０の下側部２２に押し付けているので、軒天板１７の厚みにバラツキがあったり、軒天板１７の厚みが経年変化により痩せが生じたりしても、軒天板１７を下方から見上げた際に、隣合う軒天板１７に段差が生じず、見栄えが良い。バネ鋼製の付勢部２２０は、図２２に示すように、軒先側から軒元側に向かって中央部が下面側に垂れ下がり、軒元側が上方に湾曲する一対のバネ片２２１と、この一対のバネ片２２１を繋ぐ連結部２２２とからなり、連結部２２２が上側部２１の軒先側に、バーリングカシメ部２２３によって接合されている。軒元側支持部材本体２１０の上側部２１の中央には、軒元側支持部材２Ｂを軒元側軒天野縁５に釘４によって固定するための釘孔２２４を設けている。
【００４９】
次に、図２３及び図２４（ａ）、（ｂ）、（ｃ）に示すように、前記軒元側支持部材２に替えて、軒元側支持部材２Ｃを用いることができる。この軒元側支持部材２Ｃは、上側部２１と、下側部２２と、これらを繋ぐ立上部２３とを備える断面略コ字形状の軒元側支持部材本体２１０と、この軒元側支持部材本体２１０の上側部２１の下面に取り付けられた、軒天板１７を下側部２２に押し付けるバネ鋼製の付勢部２２０Ａとからなる。上側部２１の軒先側の端縁には、軒元側軒天野縁５の屋外側の縦面に当接し、水平に打ち込まれる釘（螺子でもよい）４によって軒元側軒天野縁５に固定される取り付け部２４が設けられている。取り付け部２４には、釘４の釘孔２５を設けている。バネ鋼製の付勢部２２０Ａは、軒先側から軒元側に向かって中央部が下面側に垂れ下がり、軒元側が上方に湾曲する形状のバネ部２２２と、バネ部２２２の軒先側の端部を上方へ屈曲させた取り付け板部２２３とからなり、取り付け板部２２３をバーリングカシメ部２２３Ａによって取り付け部２４に接合されている。
【００５０】
この軒元側支持部材２Ｃを用いても、軒元側支持部材２Ｂと同様に、バネ鋼製の付勢部２２０Ａが、軒天板１７を軒元側支持部材本体２１０の下側部２２に押し付けるので、軒天板１７の厚みにバラツキがあったり、軒天板１７の厚みが経年変化により痩せが生じたりしても、軒天板１７を下方から見上げた際に、隣合う軒天板１７に段差が生じず、見栄えを良くすることができる。
【符号の説明】
【００５１】
１        ：軒元側見切
１Ａ      ：軒元側見切
１ａ      ：上側部
１ｂ      ：下側部
１ｃ      ：立上部
２、２Ａ、２Ｂ、２Ｃ      ：軒元側支持部材
２ａ      ：付勢部
３、３Ａ、３Ｂ      ：軒先側支持部材
３ａ      ：挿通孔
３ｂ      ：雌螺子部
３ｃ      ：付勢部
３ｄ      ：挿通孔
４        ：釘
５        ：軒元側軒天野縁
６        ：螺子
７        ：熱膨張防火材
１２      ：下地
１４、１４Ａ、１４Ｂ    ：軒先側見切
１４ａ    ：上側部
１４ｂ    ：下側部
１４ｃ    ：立上部
１４ｄ    ：通気孔
１４ｅ    ：水返し
１４ｆ    ：通気孔
１７      ：軒天板
１８      ：釘
２１      ：上側部
２２      ：下側部
２３      ：立上部
２４      ：取り付け部
２５      ：釘孔
３１      ：上側部
３２      ：下側部
３３      ：縦板部
８１      ：補強部材
８２      ：釘
８３      ：螺子
２１０    ：軒元側支持部材本体
２１１    ：上側部
２１２    ：下側部
２２０、２２０Ａ  ：付勢部
２２１    ：バネ片
２２２    ：連結部
２２３、２２３Ａ  ：バーリングカシメ部
２２４    ：釘孔
３１１    ：先端上側部
３１２    ：付勢部
【図１】
2019108783.tif 000003
【図２】
2019108783.tif 000004
【図３】
2019108783.tif 000005
【図４】
2019108783.tif 000006
【図５】
2019108783.tif 000007
【図６】
2019108783.tif 000008
【図７】
2019108783.tif 000009
【図８】
2019108783.tif 000010
【図９】
2019108783.tif 000011
【図１０】
2019108783.tif 000012
【図１１】
2019108783.tif 000013
【図１２】
2019108783.tif 000014
【図１３】
2019108783.tif 000015
【図１４】
2019108783.tif 000016
【図１５】
2019108783.tif 000017
【図１６】
2019108783.tif 000018
【図１７】
2019108783.tif 000019
【図１８】
2019108783.tif 000020
【図１９】
2019108783.tif 000021
【図２０】
2019108783.tif 000022
【図２１】
2019108783.tif 000023
【図２２】
2019108783.tif 000024
【図２３】
2019108783.tif 000025
【図２４】
2019108783.tif 000026